(57)【要約】【課題】バッテリー室と本体の間に仕切壁があるため、本体内部の発熱素子（ＣＭＯＳ等）を効率的に冷却できなかった。また、ヒートパイプ等をバッテリー室から撮像素子へ通して冷却する方法もあるが、冷却アダプターを使わずバッテリーを使用する際、バッテリーの熱が本体内部に侵入してしまい、撮像素子等の温度を上げてしまうという課題があった。【解決手段】開閉可能なバッテリー室仕切板を採用することにより、バッテリー室に冷却アダプターを挿入した場合はバッテリー室側から冷却、バッテリーを装着した場合はバッテリー室側からの熱を断熱し、効率的に撮像素子等を低温に保つ。【選択図】図２
2017034314.tif 000002
【特許請求の範囲】
【請求項１】
発熱素子に装着された発熱素子放熱板と、バッテリー又は冷却アダプターを装着可能なバッテリー収納部と、前記バッテリー収納部へ装着可能な冷却アダプターと、バッテリー収納部と発熱素子放熱板を熱的に遮断する開閉可能な仕切板と、冷却アダプターの冷却部と発熱素子放熱板を熱的に接続する熱接続手段を有するカメラにおいて、
バッテリー収納部へバッテリーを装着する場合は、仕切板を閉状態、冷却アダプターを装着する場合は仕切板を開状態にすることにより、バッテリーを装着した場合は、バッテリー収納部から発熱素子収納部への熱の流入を防ぎ、冷却アダプターを装着した場合は、冷却アダプターの冷却部から上記熱接続手段を介して発熱素子放熱板を冷却することを特徴とする冷却システム。
【請求項２】
バッテリー収納部に、バッテリー及び冷却ユニットどちらが装着されたかを検出する装着検出手段を有することを特徴とする請求項１に記載の冷却システム。
【請求項３】
前記仕切板開閉検出手段を有することを特徴とする請求項１に記載の冷却システム。
【請求項４】
前記装着検出手段により、バッテリー装着が検出され、かつ前記仕切板開閉検知手段により仕切板が閉状態であることが検出された場合は、自然放熱モードに設定。前記装着検出手段により、冷却ユニット装着が検出され、かつ前記仕切板開閉検出手段により仕切板が開状態であることが検出された場合は、強制冷却モードに設定されることを特徴とする請求項１乃至請求項３の何れか一項に記載の冷却システム。
【請求項５】
前記強制冷却モード時は、前記自然放熱モード時よりＩＳＯ感度上限設定値を上げることを特徴とする請求項４に記載の冷却システム。
【請求項６】
前記強制冷却モード時は、前記自然放熱モード時より連続動画録画時間を延長することを特徴とする請求項４に記載の冷却システム。
【請求項７】
前記強制冷却モード時は、前記自然放熱モード時よりゲイン上限設定値を上げることを特徴とする請求項４に記載の冷却システム。
【請求項８】
前記強制冷却モード時は、強制冷却機能を駆動することを特徴とする請求項４に記載の冷却システム。
【請求項９】
強制冷却機能は、ペルチェ素子駆動機能又は空冷機能であることを特徴とする請求項８に記載の冷却システム。
【請求項１０】
前記強制冷却モード時は、前記冷却ユニット内の電源から本体へ電源供給することを特徴とする請求項４に記載の冷却システム。
【請求項１１】
前記装着検出手段により、バッテリー装着が検出され、かつ前記仕切板開閉検出手段により仕切板が開状態であることが検出された場合。又は前記装着検出手段により、冷却ユニット装着が検出され、かつ前記仕切板開閉検知手段により仕切板が閉状態であることが検出された場合は、エラー警告表示を行うことを特徴とする請求項１乃至請求項３の何れか一項に記載の冷却システム。
【請求項１２】
前記仕切板は、冷却ユニットの挿入に連動して開閉することを特徴とする請求項１に記載の冷却システム。
【請求項１３】
冷却ユニットの挿入に連動して開閉する機構は、仕切板が冷却ユニットの一部に当接してスライドすることにより仕切板が開くことを特徴とする請求項１２に記載の冷却システム。
【請求項１４】
前記仕切板は、バネにより閉方向に付勢されていることを特徴とする請求項１３に記載の冷却システム。
【請求項１５】
前記仕切板は、バッテリー装着方向の回転軸を中心に回動することにより開閉動作を行うことを特徴とする請求項１に記載の冷却システム。
【請求項１６】
前記仕切板の回動開閉は、反転バネで負勢させることを特徴とする請求項１５に記載の冷却システム。
【請求項１７】
前記仕切板を開状態にした際は、バッテリーが装着不可、且つ冷却ユニットが装着可能。前記仕切板を閉状態にした際は、バッテリーが装着可能、且つ冷却ユニットが装着不可であることを特徴とする請求項１５に記載の冷却システム。
【発明の詳細な説明】
【技術分野】
【０００１】
本発明は、カメラにおける冷却構造に関する。
【背景技術】
【０００２】
従来より電子カメラにおいては、電子部品の温度上昇がカメラの性能を低下させる原因となっている。とりわけ撮像素子の温度上昇は、暗電流ノイズ等が発生する。特に天体等暗い被写体を撮影する際は、暗電流ノイズ等を抑えるための冷却手段が必要となっている。
【０００３】
そこで、特許文献１においては、カメラのグリップバッテリー収納部に冷却ユニットを装着して撮像素子を冷却するシステムが考案されている。
【先行技術文献】
【特許文献】
【０００４】
【特許文献１】特許第４４９９３１６号公報
【発明の概要】
【発明が解決しようとする課題】
【０００５】
しかしながら、特許文献１では、以下のような問題が発生していた。昨今４Ｋ，８Ｋフォーマットなど超高画質動画撮影カメラが盛んに開発されているが、このようなカメラにおいては多大な消費電力が必要となり、駆動バッテリー自身の温度上昇が無視できないレベルとなる。よって、上記背景技術において通常バッテリーを装着してカメラを駆動した場合、ヒートパイプを介して、撮像素子へ熱エネルギーが伝達されてしまうという課題があった。
【課題を解決するための手段】
【０００６】
１．バッテリー収納部へバッテリーを装着する場合は断熱用仕切板を閉状態、冷却アダプターを装着する場合は仕切板を開状態にすることにより、バッテリーを装着した場合は、バッテリー収納部から発熱素子収納部への熱の流入を防ぎ、冷却アダプターを装着した場合は、冷却アダプターの冷却部から熱接続手段を介して発熱素子放熱板を冷却するシステムを構成した（請求項１）。
【０００７】
２．１．において、バッテリー収納部に、バッテリー及び冷却ユニットどちらが装着されたかを検出する装着検出手段を設置した（請求項２）。
【０００８】
３．１．において、仕切板開閉検出手段を設置した（請求項３）。
【０００９】
４．１．２．３において、装着検出手段により、バッテリー装着が検出され、かつ仕切板開閉検出手段により仕切板が閉状態であることが検出された場合は、自然放熱モードに設定。装着検出手段により、冷却ユニット装着が検出され、かつ仕切板開閉検出手段により仕切板が開状態であることが検出された場合は、強制冷却モードに設定されるシステムとした。
【００１０】
５．４．において、強制冷却モード時は、自然放熱モード時よりＩＳＯ感度上限設定値を上げるシステムとした（請求項５）。
【００１１】
６．４．において、強制冷却モード時は、自然放熱モード時より連続動画録画可能時間を延長するシステムとした（請求項６）。
【００１２】
７．４．において、強制冷却モード時は、前記自然放熱モード時よりゲイン上限設定値を上げることを特徴とした冷却システム（請求項７）。
【００１３】
８．４．において、強制冷却モード時は、強制冷却機能を駆動するシステムとした（請求項８）。
【００１４】
９．８．において、強制冷却機能は、ペルチェ素子駆動機能で構成した（請求項９）。
【００１５】
１０．４．において、強制冷却モード時は、冷却ユニット内の電源から本体へ電源供給するシステムとした（請求項１０）。
【００１６】
１１．１．２．３．において、装着検出手段により、バッテリー装着が検出され、かつ仕切板開閉検出手段により仕切板が開状態であることが検出された場合。又は装着検出手段により、冷却ユニット装着が検出され、かつ仕切板開閉検知手段により仕切板が閉状態であることが検出された場合は、エラー警告表示を行うシステムとした（請求項１１）。
【００１７】
１２．１．において、仕切板は、冷却ユニットの挿入に連動して開閉するシステムとした（請求項１２）。
【００１８】
１３．１２．において、冷却ユニットの挿入に連動して開閉する機構は、仕切板が冷却ユニットの側面凸部上面に当接してスライドすることにより仕切板が開くシステムとした（請求項１３）。
【００１９】
１４．１３．において、仕切板は、バネにより閉方向に付勢されている構成とした（請求項１４）。
【００２０】
１５．１．において、仕切板は、バッテリー装着方向の回転軸を中心に回動することにより開閉動作を行うシステムとした（請求項１５）。
【００２１】
１６．１５．において、前記仕切板の回動開閉は、反転バネで負勢させる構成とした（請求項１６）。
【００２２】
１７．１５において、仕切板を開状態にした際は、バッテリーが装着不可、且つ冷却ユニットが装着可能。仕切板を閉状態にした際は、バッテリーが装着可能、且つ冷却ユニットが装着不可となる構成とした（請求項１７）。
【発明の効果】
【００２３】
本発明に係るカメラの冷却システムによれば、バッテリー装着部へ冷却ユニットを装着した際は、撮像素子を強制冷却し、バッテリーを装着した際は、バッテリー自身の熱エネルギーを撮像素子から遮断することにより、撮像素子の温度上昇を効果的に抑えることが可能となった。
【図面の簡単な説明】
【００２４】
【図１】第１の実施例によるカメラの構成図（バッテリー装着時）
【図２】第１の実施例によるカメラの構成図
【図３】第１の実施例による冷却ユニット構成図
【図４】第１の実施例によるカメラのバッテリー収納部分解図
【図５】第１の実施例によるカメラのバッテリー収納部動作図
【図６】第１の実施例によるカメラ冷却システムのブロック図
【図７】第１の実施例によるカメラ冷却システムのフローチャート
【図８】第２の実施例によるカメラの構成図
【図９】第２の実施例によるカメラの底面図
【図１０】第２の実施例によるカメラの構成図
【図１１】第２の実施例による冷却ユニット構成図
【図１２】第２の実施例によるカメラのバッテリー収納部分解図
【図１３】第２の実施例によるカメラのバッテリー収納部動作図
【図１４】第２の実施例によるカメラのバッテリー収納部動作図
【図１５】第２の実施例によるカメラのバッテリー収納部形状詳細図
【発明を実施するための形態】
【００２５】
以下に、本発明の好ましい実施の形態を、添付の図面に基いて詳細に説明する。
【実施例１】
【００２６】
第１の実施例について説明する。
【００２７】
図１は第１の実施例によるカメラの構成図（バッテリー装着時）、図２は第１の実施例によるカメラの構成図（冷却ユニット装着時）、図３は第１の実施例による冷却ユニット構成図である。
【００２８】
ここで、１００１は撮像素子、１００２は前記撮像素子（１００１）の熱を放出するための放熱板、１００３はカメラ外カバー、１０１５はバッテリーである。１００４は前記バッテリー（１０１５）の熱を遮蔽するための仕切板（固定側）、１００５は同様に前記バッテリー（１０１５）の熱を遮蔽するための仕切板（可動側）であり、仕切板（１００５）は上下にスライド開閉する構成になっている。ここで、上記２つの仕切板は、断熱材等で構成されており、仕切板を通して熱を伝えにくい材質である。
【００２９】
また、１００６は、前記仕切板（１００５）の開閉を検出する開閉検出手段１（光検出ユニット）であり、ここでは、光の投受光により検出可能な光検出ユニットで構成されており、１００７は、前記開閉検出手段１（光検出ユニット）（１００６）の発した光を反射するための開閉検出手段２（光検出用反射板）である。
【００３０】
更に、１００８はバッテリーフタ、１００９はバッテリーフタヒンジ軸であり、後述する構造により、前記バッテリーフタ（１００８）は、バッテリーフタヒンジ軸（１００９）を中心に回動開閉可能であると同時に、取り外し可能な構成となっている。
【００３１】
１０１０はバッテリー／冷却ユニット判別用端子（カメラ側）、１０１１は電源＋端子、１０１２は電源−端子、１０１３はバッテリー＋端子、１０１４はバッテリー−端子であり、バッテリー１０１５からの電源をカメラ本体に供給する。と同時に、バッテリー／冷却ユニット判別用端子（１０１０）は、バッテリー／冷却ユニットのどちらが装着されたかを判別用するための信号を伝達する端子であるが、バッテリー１０１５には判別端子が無いため、信号が無い場合はバッテリー１０１５が装着されたと判断する。
【００３２】
また、１０１６は冷却ユニットであり、前記バッテリーフタ（１００８）をはずした状態で、図のようにバッテリー装着部へ挿入することが可能である。ここで、１０１７はバッテリー／冷却ユニット判別用端子（冷却ユニット側）、１０１８はバッテリー＋端子（冷却ユニット内蔵バッテリー用）、１０１９はバッテリー−端子（冷却ユニット内蔵バッテリー用）１０２１は、冷却ユニット内蔵バッテリー、１０２２は冷却ユニット制御・電源回路である。これにより、冷却ユニット内蔵バッテリー１０２１からカメラへ電源を供給すると同時に、バッテリー／冷却ユニット判別用端子（冷却ユニット側）（１０１７）からバッテリー／冷却ユニット判別用端子（１０１０）へ信号を伝達することにより、カメラ本体に冷却ユニット（１０１６）が装着されたことを検出する。更に１０２０は冷却接点、１０２３はペルチェ素子である。ここで、冷却接点（１０２０）は、前記ペルチェ素子で冷やされた面と前記放熱板（１０２０）に接しており、撮像素子１００１から放出される熱を強制冷却することが可能となる。
【００３３】
なお、冷却ユニット（１０１６）は、図２のように、挿入時に仕切板（可動側）（１００５）を押し上げることのできる段差が形成されており、冷却ユニット（１０１６）挿入によって、仕切板（可動側）（１００５）が開く構成になっている。更に冷却ユニット（１０１６）を引き抜いた際は、後述するバネ機構により、閉状態に戻る構造である。
【００３４】
上記構成により、バッテリー（１０１５）を挿入した際は、仕切板（可動側）（１００５）が閉状態となり、バッテリー（１０１５）の熱を撮像素子から遮断する。また、冷却ユニット（１０１６）を挿入した際は、仕切板（可動側）（１００５）が開状態となってペルチェ素子（１０２３）により冷却接点（１０２０）を介して撮像素子（１００１）を強制冷却することができる。
【００３５】
次に、上記仕切板（可動側）（１００５）の開閉機構について詳細を説明する。
【００３６】
図４は第１の実施例によるカメラのバッテリー収納部分解図、図５は第１の実施例によるカメラのバッテリー収納部動作図（Ａ視図）であり、いずれもカメラ底面が上方向となるよう書かれた図である。
【００３７】
ここで、１０３１はバッテリーホルダーで、バッテリー収納部である内部部品、１０２８はヒンジ板金、１０２６は、前記ヒンジ板金（１０２８）に一体となって配置され、前記バッテリーフタヒンジ軸（１００９）が固定されるヒンジ穴である。また、前記ヒンジ板金（１０２８）は、止めネジ（１０２４）によってヒンジ板金（１０２８）に設けられた２つのネジ貫通穴（１０２７）を通して前記バッテリーホルダー（１０３１）の２つのネジ穴（１０３２）に固定されている。
【００３８】
また、１０２９は引っ張りバネ、１０２５は前記ヒンジ板金（１０２８）に一体となって配置されているフック１。１０３０は、前記仕切板（１００５）に一体となって配置されるフック２、１０３４は前記バッテリーホルダー（１０３１）に一体となって配置されている仕切板ガイドレールである。
【００３９】
なお、１０３３はフタヒンジ軸収納レバーである。このレバーを矢印方向へスライドさせることにより、バッテリーフタヒンジ軸（１００９）を矢印方向へ収納することができる。これにより、フタヒンジ軸収納レバー（１０３３）をスライドさせることによりバッテリーフタ（１００８）が着脱可能となる。なお、この部分の詳細機構については、一般的なカメラの機構なので省略する。
【００４０】
以上の構成により、仕切板（可動側）（１００５）は、図５における仕切板開閉方向矢印（１０３７）へスライド可能であり、外力が無ければ引っ張りバネ（１０２９）付勢方向（閉方向）に固定されている。
【００４１】
次に、本システムの回路構成を説明する。図６は第１の実施例によるカメラ冷却システムのブロック図である。
【００４２】
ここで、１１０１はカメラ本体、１１０２はレンズユニット、１１０３は撮像素子、１１０４は画像処理回路、１１０５はカメラ電源回路、１１０６は画像記録回路、１１０７はカメラ制御回路、１１０８は仕切板開閉検知手段、１１０９はバッテリー、１１１０は冷却ユニット、１１１１は冷却ユニット制御回路、１１１２は冷却ユニット電源回路、１１１３は冷却ユニット内蔵バッテリー、１１１４はペルチェ素子である。
【００４３】
ここで、レンズユニット（１１０２）を介して結像した像は、撮像素子（１１０３）で光電変換されて画像処理回路（１１０４）にて画像処理され、画像記録回路（１１０６）にてメモリーカード等に記録される。また、カメラ電源回路（１１０５）は、各回路に電源を供給する回路であり、図６の＋端子、−端子を通してバッテリー等からの電源を入力し、それぞれのユニットに必要な電圧に変換して供給している。一方、カメラ制御回路（１１０７）は、各回路を統合的に制御するものである。なお、仕切板開閉検出手段（１１０８）の信号は、このカメラ制御回路（１１０７）に入力される。
【００４４】
一方、冷却ユニット（１１１０）においては、冷却ユニット制御回路（１１１１）によってペルチェ素子を駆動すると同時に、バッテリー／冷却ユニット判別端子を介して、冷却ユニット装着検出信号をカメラ本体へ送信する。また、冷却ユニット内蔵バッテリー（１１０３）は、冷却ユニット電源回路（１１１２）を介してペルチェ素子に電力を供給すると同時に、＋／−端子を介してカメラ本体へも電力を供給する。
【００４５】
図７はカメラ制御回路（１１０７）における第１の実施例によるカメラ冷却システムのフローチャートである。以降、このフローを説明する。
【００４６】
まず、カメラのメインＳＷがＯＮであるかどうかを判別し（Ｓ１０２）、ＯＮの場合はＳ１０３に進み、ＯＦＦの場合はＳＴＡＲＴ（Ｓ１０１）に戻る。Ｓ１０３においては、バッテリーが装着されたかどうかを判断し、装着された場合はＳ１０７に進み、装着されてない場合は仕切板が開いているかどうかを判断し（Ｓ１０４）、開いている場合はエラー表示を行い（Ｓ１０６）、ＳＴＡＲＴ（Ｓ１０１）に戻る。仕切板が閉じている場合は、通常モードに設定し（Ｓ１０５）、ＳＴＡＲＴ（Ｓ１０１）に戻る。Ｓ１０７においては、冷却ユニットが挿入されたかどうかを判断し（１０７）、挿入された場合はＳ１０８へ進み、挿入されてない場合はＳＴＡＲＴ（Ｓ１０１）に戻る。Ｓ１０８においては、仕切板は開いているかどうかを判断し、開いている場合は、冷却モードに設定し（Ｓ１０９）、開いてない場合はエラー表示を行い（Ｓ１０６）、ＳＴＡＲＴ（Ｓ１０１）に戻る。
【００４７】
ここで、冷却モードについて説明する。
【００４８】
まずペルチェ素子を駆動し、冷却ユニットからカメラ本体へ電源供給を行う。更に、連続動画撮影時間を延長する。これは、撮像素子を冷却しているため連続撮影時間が長くなっても撮像素子の温度上昇を抑えることができるからである。また、ＩＳＯ感度とゲインの上限値を上げる。これは、冷却効果で撮像素子のノイズが少ないため、ＩＳＯ感度とゲインの上限値を上げてもノイズが目立たないからである。
【００４９】
以上のフローにより、バッテリーが装着され、仕切板が閉状態の場合は通常モード。冷却ユニットが装着され、仕切板が開状態の場合は冷却モード。仕切板が上記条件以外の場合は、仕切板動作不良とみなしてエラー表示。これらの動作が実行される。
【実施例２】
【００５０】
第２の実施例について説明する。
【００５１】
図８は第２の実施例によるカメラの構成図（バッテリー装着時）、図９は第２の実施例によるカメラの底面図（仕切板動作図）（バッテリーフタをはずした状態）、図１０は第２の実施例によるカメラの構成図（冷却ユニット装着時）、図１１は第２の実施例による冷却ユニット構成図である。
【００５２】
ここで、１０５０はカメラ外カバー、１０５１は放熱板、１０５２は仕切板（閉状態）、１０５２＿ｏｐは仕切板（開状態）、１０５３はバッテリーフタ、１０５４はバッテリーフタヒンジ軸、１０５５はバッテリーフタヒンジ板金、１０５６はバッテリーフタヒンジ板金を止める、止めネジ、１０５７は仕切板を手動で動かすための仕切板取手、１０５８は開閉検出手段２（光検出用反射板）、１０５９は開閉検出手段１（光検出ユニット）、１０６０は仕切板ヒンジ軸、１０６１は冷却ユニット、１０６２はペルチェ素子、１０６３は冷却接点である。
【００５３】
次に、上記構成における動作を説明する。なお、実施例１と同一構造に関しては説明を省略する。
【００５４】
図９において、仕切板（１０５２）は、第１の実施例同様、バッテリー収納部の熱を遮蔽するためのものであり、本実施例においては、仕切板ヒンジ軸（１０６０）を中心に手動で回動することにより開閉する構成になっている。なお、開閉動作については、後述する反転バネ構造により開閉状態に付勢される。
【００５５】
また、図１０において、冷却ユニット（１０６１）が挿入された状態では、ペルチェ素子（１０６２）から冷却接点（１０６３）を介して放熱板（１０５１）を冷却する。
【００５６】
次に、上記仕切板（１０５２）の開閉機構について詳細を説明する。
【００５７】
図１２は第２の実施例によるカメラのバッテリー収納部分解図、図１３は第２の実施例によるカメラのバッテリー収納部動作図（断面図）、図１４は第２の実施例によるカメラのバッテリー収納部動作図（斜視図）。図１５は第２の実施例によるカメラのバッテリー収納部形状詳細図である。
【００５８】
ここで、１０６４はフタヒンジ軸収納レバー、１０６５はバッテリーフタヒンジ板金、１０６６はネジ貫通穴、１０６７は仕切板ヒンジ穴、１０６８は仕切板ヒンジ軸、１０６９は反転ブロック、１０７０はネジ穴、１０７１は反転板バネ固定穴、１０７２は仕切板ヒンジ穴、１０７３は反転板バネ、１０７４はバッテリーホルダーである。
【００５９】
次に、上記構成の詳細を説明する。なお、実施例１と同一構造に関しては説明を省略する。
【００６０】
図１２において、仕切板（１０５２）に設置された仕切板ヒンジ軸（１０６８）は、バッテリーフタヒンジ板金（１０５５）に設置された仕切板ヒンジ穴（１０６７）に勘合。一方対向側の仕切板ヒンジ軸（１０６０）は、仕切板ヒンジ穴（１０７２）に勘合している。ここで、仕切板ヒンジ軸（１０６０）には、反転ブロック（１０６９）が固定されている。また、反転板バネ（１０７３）は、バッテリーホルダー（１０７４）に設置された反転板バネ固定穴（１０７１）に固定されている。
【００６１】
ここで、図１３、図１４を用いて上記構成における仕切板（１０５２）の動作を説明する。反転ブロック（１０６９）は、プラスチック又は金属の部品であり、２つの平面を有しており、通常はどちらかの平面に、反転板バネ（１０７３）が常に当接している状態である。図１３、図１４において、仕切板（開状態）（１０５２）の位置では、前記反転ブロック（１０６９）の１平面が、反転板バネ（１０７３）に当接して押し当てられているため、仕切板は閉状態に保持される。一方手動で仕切板（開状態）（１０５２＿ｏｐ）に回動させると、反転ブロック（１０６９）の角を乗り越え、もう一方の平面が反転板バネ（１０７３）に当接して押し当てられ、仕切板は開状態に保持される。
【００６２】
更に、図１５はバッテリー挿入部を底面から見たバッテリー収納部形状詳細図である。４つの図のうち上の２つはそれぞれバッテリー（１０１５）単体の形状と、冷却ユニット（１０６１）単体の形状である。また下の２つは、左が仕切板（１０５２）を閉じた状態、右が仕切板（１０５２＿ｏｐ）を開いた状態である。
【００６３】
ここで、バッテリー（１０１５）は、右側に切り欠きがある形状となっている。一方冷却ユニット（１０６１）は、図において縦方向長さがバッテリー（１００５）より短い寸法となっており、更に右側面には冷却接点（１０６３）が設置されている。これにより、仕切板閉状態（１０５２）では、バッテリー（１０１５）は挿入可能であるが、冷却ユニット（１０６１）は、仕切板（１０５２）に右側面が当接してしまい挿入できない。また、仕切板開状態（１０５２＿ｏｐ）では、冷却ユニット（１０６１）は挿入可能であるが、バッテリー（１０１５）は仕切板（１０５２＿ｏｐ）に下側面が当接してしまい挿入できない。
【００６４】
上記構成により、仕切板開閉状態によるバッテリー（１０１５）及び冷却ユニット（１０６１）の挿入可否が正しい関係で、それぞれを装着できる。
【００６５】
なお、回路系、フローチャートに関しては、第１の実施例と同一のため説明は省略する。
【符号の説明】
【００６６】
１００１  撮像素子、１００２  放熱板、１００３  カメラ外カバー、
１００４  仕切板（固定側）、１００５  仕切板（可動側）、
１００６  開閉検出手段１（光検出ユニット）、
１００７  開閉検出手段２（光検出用反射板）、１００８  バッテリーフタ、
１００９  バッテリーフタヒンジ軸、
１０１０  バッテリー／冷却ユニット判別用端子（カメラ側）、１０１１  電源＋端子、
１０１２  電源−端子、１０１３  バッテリー＋端子、１０１４  バッテリー−端子、
１０１５  バッテリー、１０１６  冷却ユニット、
１０１７  バッテリー／冷却ユニット判別用端子（冷却ユニット側）、
１０１８  バッテリー＋端子（冷却ユニット内蔵バッテリー用）、
１０１９  バッテリー−端子（冷却ユニット内蔵バッテリー用）、１０２０  冷却接点、
１０２１  冷却ユニット内蔵バッテリー、１０２２  冷却ユニット制御・電源回路、
１０２３  ペルチェ素子、１０２４  止めネジ、１０２５  フック１、
１０２６  ヒンジ穴、１０２７  ネジ貫通穴、１０２８  バッテリーフタヒンジ板金、
１０２９  引っ張りバネ、１０３０  フック２、１０３１  バッテリーホルダー、
１０３２  ネジ穴、１０３３  フタヒンジ軸収納レバー、
１０３４  仕切板ガイドレール、１０３５  フタヒンジ軸収納レバー操作方向矢印、
１０３６  バッテリーフタヒンジ軸収納方向矢印、１０３７  仕切板開閉方向矢印、
１１０１  カメラ本体、１１０２  レンズユニット、１１０３  撮像素子、
１１０４  画像処理部、１１０５  カメラ電源回路、１１０６  画像記録回路、
１１０７  カメラ制御回路、１１０８  仕切板開閉検知手段、１１０９  バッテリー、
１１１０  冷却ユニット、１１１１  冷却ユニット制御回路、
１１１２  冷却ユニット電源回路、１１１３  冷却ユニット内蔵バッテリー、
１１１４  ペルチェ素子、１０５０  カメラ外カバー、１０５１  放熱板、
１０５２  仕切板（閉状態）、１０５２＿ｏｐ  仕切板（開状態）、
１０５３  バッテリーフタ、１０５４  バッテリーフタヒンジ軸、
１０５５  バッテリーフタヒンジ板金、１０５６  止めネジ、１０５７  仕切板取手、
１０５８  開閉検出手段２（光検出用反射板）、
１０５９  開閉検出手段１（光検出ユニット）、１０６０  仕切板ヒンジ軸、
１０６１  冷却ユニット、１０６２  ペルチェ素子、１０６３  冷却接点、
１０６４  フタヒンジ軸収納レバー、１０６５  バッテリーフタヒンジ板金、
１０６６  ネジ貫通穴、１０６７  仕切板ヒンジ穴、１０６８  仕切板ヒンジ軸、
１０６９  反転ブロック、１０７０  ネジ穴、１０７１  反転板バネ固定穴、
１０７２  仕切板ヒンジ穴、１０７３  反転板バネ、１０７４  バッテリーホルダー
【図１】
2017034314.tif 000003
【図２】
2017034314.tif 000004
【図３】
2017034314.tif 000005
【図４】
2017034314.tif 000006
【図５】
2017034314.tif 000007
【図６】
2017034314.tif 000008
【図７】
2017034314.tif 000009
【図８】
2017034314.tif 000010
【図９】
2017034314.tif 000011
【図１０】
2017034314.tif 000012
【図１１】
2017034314.tif 000013
【図１２】
2017034314.tif 000014
【図１３】
2017034314.tif 000015
【図１４】
2017034314.tif 000016
【図１５】
2017034314.tif 000017